(57)【要約】【課題】水道水を給水する給水弁を少なくとも２個備えた構成でありながら、給水異常が発生したときに適切な対応を実現する。【解決手段】本実施形態の洗濯機は、水道水を給水する給水弁を少なくとも２個備えたものであって、第２給水弁２１を開放して第２目標水位に到達するまで給水する第２給水部３１と、第１給水弁２０を開放して第２目標水位よりも水位が高い第１目標水位に到達するまで給水する第１給水部３１と、第２給水部３１により第２目標水位まで到達しなかったときには、第１給水部３１に切り替えて給水を続行する制御部３１とを備え、制御部３１は、第１設定時間内に第１給水部３１により第１目標水位に到達したときには、通常通り運転を終了し、第１設定時間内に第１給水部３１により第１目標水位に到達しなかったときには、洗濯運転を停止して、給水異常を報知するように構成されている。【選択図】図３
2019024910.tif 000002
【特許請求の範囲】
【請求項１】
水道水を給水する給水弁を少なくとも２個備えた洗濯機であって、
第２給水弁を開放して第２目標水位に到達するまで給水する第２給水部と、
第１給水弁を開放して前記第２目標水位よりも水位が高い第１目標水位に到達するまで給水する第１給水部と、
前記第２給水部により前記第２目標水位まで到達しなかったときには、第１給水部に切り替えて給水を続行する制御部とを備え、
前記制御部は、第１設定時間内に前記第１給水部により前記第１目標水位に到達したときには、通常通り運転を終了し、前記第１設定時間内に前記第１給水部により前記第１目標水位に到達しなかったときには、洗濯運転を停止して、給水異常を報知するように構成された洗濯機。
【請求項２】
前記制御部は、洗濯運転終了後に、前記第２給水部の給水異常を報知するように構成された請求項１記載の洗濯機。
【請求項３】
前記制御部は、前記第２給水部から前記第１給水部に切り替えるときに、前記第２給水部の給水異常を報知するように構成された請求項１記載の洗濯機。
【請求項４】
前記制御部は、前記第２給水部の単位時間当たりの給水量が、前記第１給水部の単位時間当たりの給水量よりも大きい場合に、前記第１設定時間を長くするように構成された請求項１記載の洗濯機。
【発明の詳細な説明】
【技術分野】
【０００１】
本発明の実施形態は、洗濯機に関する。
【背景技術】
【０００２】
風呂の残り水を洗濯槽内に給水する風呂水ポンプと、水道水を洗濯槽内に給水する給水弁とを備えた洗濯機が、従来より、提供されている。これに対して、近年、水道水を洗濯槽内に給水する給水弁を少なくとも２個備え、第１の給水弁による給水（例えば通常の水道水給水）と、第２の給水弁による給水（例えばファインバブル水給水）とを使い分けるように構成した洗濯機が知られている。
【先行技術文献】
【特許文献】
【０００３】
【特許文献１】特開平９−２３４２９８号公報
【発明の概要】
【発明が解決しようとする課題】
【０００４】
そこで、水道水を給水する給水弁を少なくとも２個備えた構成でありながら、給水異常が発生したときに適切な対応を実現することができる洗濯機を提供する。
【課題を解決するための手段】
【０００５】
本実施形態の洗濯機は、水道水を給水する給水弁を少なくとも２個備えたものであって、第２給水弁を開放して第２目標水位に到達するまで給水する第２給水部と、第１給水弁を開放して前記第２目標水位よりも水位が高い第１目標水位に到達するまで給水する第１給水部と、前記第２給水部により前記第２目標水位まで到達しなかったときには、第１給水部に切り替えて給水を続行する制御部とを備えている。そして、前記制御部は、第１設定時間内に前記第１給水部により前記第１目標水位に到達したときには、通常通り運転を終了し、前記第１設定時間内に前記第１給水部により前記第１目標水位に到達しなかったときには、洗濯運転を停止して、給水異常を報知するように構成されている。
【図面の簡単な説明】
【０００６】
【図１】第１実施形態による洗濯機の概略全体構成を示す縦断面図
【図２】電気的構成を示すブロック図
【図３】給水制御のフローチャート
【図４】給水弁の開閉制御のタイムチャート
【図５】第２実施形態を示す図３相当図
【図６】第３実施形態を示す図３相当図
【図７】第４実施形態を示す図３相当図
【発明を実施するための形態】
【０００７】
以下、複数の実施形態による洗濯機を図面に基づいて説明する。尚、各実施形態において実質的に同一の構成部品には同一の符号を付し、説明を省略する。
（第１実施形態）
図１から図４を参照して、第１実施形態について説明する。図１は、本実施形態に係る洗濯機１の全体構成を概略的に示しており、この洗濯機１は、縦軸型の全自動洗濯機であり、例えば鋼板から全体として矩形箱状に構成された外箱２の上部に、合成樹脂製のトップカバー３を備えている。
【０００８】
外箱２内には、洗濯水を溜めることが可能な水槽４が、周知構成の弾性吊持機構（図示せず）により弾性的に吊り下げ支持されて設けられている。尚、詳しい図示はしないが、水槽４の底部には、排水口が形成され、この排水口に、排水弁３２（図２参照）を備えた排水路が接続されている。また、外箱２内には、水槽４の底部に設けられたエアトラップに接続されたエアチューブを介して、水槽４内の水位を検出する水位センサ３３（図２参照）も設けられている。
【０００９】
水槽４内には、脱水槽を兼用する縦軸型の洗濯槽（回転槽）５が回転可能に設けられている。この洗濯槽５は、有底円筒状をなし、その周壁部には、図示しない多数個の脱水孔が形成されている。この洗濯槽５の上端部には、例えば液体封入形の回転バランサ６が取付けられている。また、洗濯槽５の内底部には、パルセータ７が配設されている。洗濯槽５内には、図示しない衣類が収容されるようになっており、衣類の洗い、すすぎ、脱水等の行程からなる洗濯運転が行われる。
【００１０】
本実施形態では、洗濯槽５の内底部には、前記パルセータ７が配置される円形の凹状領域が設けられ、前記パルセータ７との間にポンプ室８が形成されるようになっている。このとき、前記パルセータ７は、表面（上面）に回転水流生成用の凸部７ａを有する円盤状をなし、また、その盤面を上下に貫通するように複数個の通水孔（図示せず）が形成されている。また、このパルセータ７の裏面には、複数枚のポンプ羽根９が一体に設けられている。このポンプ羽根９は、中心部から放射方向（半径方向）に延びる薄板状をなしている。前記ポンプ室８の外周部の、円周方向に１２０度間隔で配置された３箇所に、流出口８ａ（２個のみ図示）が設けられている。
【００１１】
前記洗濯槽５の側壁部には、各流出口８ａから上方に延びるようにして、洗濯水を前記ポンプ室８から揚水するための３個（２個のみ図示）の通水路１０が設けられている。これら通水路１０は、洗濯槽５内の上部の回転バランサ６の下方に吐出口１０ａを有している。これにて、ポンプ室８におけるパルセータ７つまりポンプ羽根９の回転により、洗濯槽５内の洗濯水（後述する洗剤が溶けたファインバブル水、或いはすすぎ用の水）が、ポンプ室８の３つの流出口８ａから外周方向に向けて吐出される。さらに、その洗濯水が通水路１０内を上昇（揚水）し、吐出口１０ａから洗濯槽５内に吐出（散水）される。
【００１２】
また、前記水槽４の外底部には、周知構成の駆動機構１１が配設されている。詳しい図示及び説明は省略するが、この駆動機構１１は、例えばアウタロータ形のＤＣ三相ブラシレスモータからなる洗濯機モータ３４（図２参照）を備えると共に、その洗濯機モータ３４の駆動力を前記パルセータ７又は洗濯槽５に選択的に伝達する図示しないクラッチ機構等を備えている。洗濯機モータ３４及びクラッチ機構は、後述する制御装置３１（図２参照）により制御され、洗い時及びためすすぎ時には洗濯槽５の固定（停止）状態で、洗濯機モータ３４の駆動力をパルセータ７に伝達してパルセータ７を低速で直接正逆回転駆動する。また、脱水すすぎ時や脱水時等には、クラッチ機構は、洗濯機モータ３４の駆動力を洗濯槽５に伝達し、洗濯槽５（及びパルセータ７）を一方向に高速で回転駆動する。
【００１３】
トップカバー３内には、水槽４（洗濯槽５）内に給水を行う給水機構１２が設けられている。本実施形態では、この給水機構１２は、給水経路１３、３個の給水弁２０、２１、２２、注水ケース１８、注水ケース１８の出口部である注水口１９等を備えている。給水経路１３は、基端側に水道等の給水源に接続されるホース接続口１４を有している。給水経路１３は、ホース接続口１４から延びた後、３本に分岐して延び、メイン給水経路１５、ＵＦＢ用給水経路１６、柔軟剤用給水経路１７となる。尚、給水経路１３の基端部のうち、分岐部分よりも基端側（上流）側には、水の流量を計測する流量計３５（図２参照）が設けられている。
【００１４】
注水ケース１８は、矩形箱状をなし、その内部には、右側に位置して洗剤が収容される図示しない洗剤収容部が設けられ、左側に位置して柔軟剤等が収容される図示しない柔軟剤収容部が設けられている。メイン給水経路１５及びＵＦＢ用給水経路１６から給水された水は、注水ケース１８の洗剤収容部内を流れ、注水口１９から排出される。また、柔軟剤用給水経路１７から給水された水は、注水ケース１８の柔軟剤収容部内を流れ、注水口１９から排出される。
【００１５】
そして、メイン給水経路１５には、第１給水弁である例えばメイン給水弁２０が設けられている。ＵＦＢ用給水経路１６には、第２給水弁である例えばファインバブル用のＵＦＢ用給水弁２１及びＵＦＢユニット２８が設けられている。柔軟剤用経路１７には、第３給水弁である例えば柔軟剤用給水弁２２が設けられている。これら給水弁２０、２１、２２は、電磁的に開閉動作する開閉弁からなり、図２に示すように、前記制御装置３１により通電制御される。制御装置３１は、第１給水部、第２給水部、制御部としての各機能を有している。
【００１６】
この構成においては、メイン給水弁２０が開放されると、給水源である水道からの水がメイン給水経路１５を通って注水ケース１８の洗剤収容部に流れ、洗剤が収容されている場合にはその洗剤を溶かしながら注水口１９から排出され、水槽４（洗濯槽５）内に注水される。この場合、メイン給水経路１５を通して、ファインバブルを含まない水道水がそのまま水槽４内に供給される。この場合、メイン給水経路１５を通って供給される水の流量は、通常、ＵＦＢ用給水経路１６の水の流量よりも大きく（例えば２倍程度）なるように構成されている。
【００１７】
尚、メイン給水経路１５を通って供給される給水を、第１給水と称し、ＵＦＢ用給水経路１６を通って供給される給水を、第２給水と称する。通常時は、単位時間当たりの給水量は、第２給水＜第１給水である。
【００１８】
また、ファインバブル用のＵＦＢ用給水弁２１が開放されると、給水源である水道からの水がＵＦＢ用給水経路１６を通って注水ケース１８の洗剤収容部に流れ、洗剤が収容されている場合にはその洗剤を溶かしながら注水口１９から排出され、水槽４内に注水される。このとき、ＵＦＢ用給水経路１６を流れる水がＵＦＢユニット２８を通ることによって、多量のファインバブルを含んだファインバブル水となり、ファインバブル水に洗剤が溶け込んだ洗濯水が、水槽４（洗濯槽５）内に供給されるように構成されている。
【００１９】
また、柔軟剤用の柔軟剤用給水弁２２が開放されると、給水源である水道からの水が柔軟剤用給水経路１７を通って注水ケース１８の柔軟剤収容部に流れ、柔軟剤が収容されている場合にはその柔軟剤を溶かしながら注水口１９から排出され、水槽４（洗濯槽５）内に注水される。尚、この柔軟剤は、最終回のためすすぎ行程において、水槽４内に供給される。尚、詳しく図示はしないが、このトップカバー３には、衣類の出入口、その出入口を開閉する蓋、操作パネル３６（図２参照）等も設けられている。
【００２０】
さて、本実施形態では、上記のように、ＵＦＢ用給水経路１６のうちの、ＵＦＢ用給水弁２１の下流側である出口部近傍に組込まれるようにして、例えばベンチュリ管の原理を利用したファインバブル発生装置としてのＵＦＢユニット２８が設けられている。このＵＦＢユニット２８においては、ＵＦＢ用給水弁２１の開放によって水が内部に流入すると、流入した水の中に、直径が５０ｎｍ〜１μｍ程度のウルトラファインバブル、及び、直径が１μｍ〜数百μｍ程度のマイクロバブルを含んだファインバブルが多量に発生し、ＵＦＢユニット２８からファインバブル水が出力されるように構成されている。
【００２１】
図２は、制御装置３１を中心とした、洗濯機１の電気的構成を概略的に示している。制御装置３１は、コンピュータを主体として構成され、洗濯機１全体の制御を行う。制御装置３１には、操作パネル３６が接続されると共に、水位センサ３３や流量計３５からの検知信号が入力される。この場合、制御装置３１は、流量計３５の検知信号の積算により、洗濯槽（回転槽）５内に給水した水量を算出することができるように構成されている。
【００２２】
また、制御装置３１は、洗濯機モータ３４、排水弁３２、メイン給水弁２０、ＵＦＢ用給水弁２１、柔軟剤用給水弁２２を駆動制御する。この構成の場合、制御装置３１は、操作パネル３６にてユーザにより設定される運転コースに応じて、各センサからの入力信号や予め記憶された制御プログラムに基づいて、洗濯機１の各機構を制御し、洗い行程、すすぎ行程、脱水行程からなる周知の洗濯運転を自動で実行する。
【００２３】
次に、上記構成の洗濯機１の動作について、図３、図４も参照して説明する。洗濯運転を開始するにあたっては、ユーザは、洗濯槽５内に洗濯する衣類を収容すると共に、注水ケース１８の洗剤収容部に所要量の洗剤を収容させておいた上で、操作パネル３６にて開始操作を行う。すると、制御装置３１は、洗い、すすぎ、脱水などの行程からなる洗濯運転を自動で実行する。このとき、洗濯運転がスタートされると、まず周知の布量検知動作が行われ、その検知結果に基づいて給水水位が自動で決定され、洗い行程に進む。
【００２４】
図３は、制御装置３１による、洗い行程開始時の給水制御の内容を示すフローチャートである。洗い行程が開始されると、まず、図３のステップＳ１０において、ファインバブル用のＵＦＢ用給水弁２１が開放され、ファインバブル水が水槽４内に給水される、即ち、第２給水が開始される。そして同時に、ステップＳ２０へ進み、制御装置３１内に設けられた第２給水タイマの計時、即ち、第２給水の給水時間の計時が開始される。
【００２５】
この後、ステップＳ３０へ進み、水槽４内の水位が第２給水の第２目標水位（予め決められた水位）に到達したか否かを判断する。ここで、第２目標水位に到達していないときには（ＮＯ）、ステップＳ４０へ進み、第２給水の給水時間が第２給水リミット時間（予め決められた第２設定時間）に達したか否か、即ち、第２給水リミット時間が経過したか否かを判断する。ここで、第２給水リミット時間が経過していないときには（ＮＯ）、ステップＳ３０へ戻り、上述した処理を繰り返し実行する。
【００２６】
さて、前記ステップＳ３０において、第２目標水位に到達したときには（ＹＥＳ）、ステップＳ１２０へ進み、ＵＦＢ用給水弁２１が閉鎖されると共に、メイン給水弁２０が開放され、水道水が水槽４内に給水される、即ち、第１給水が開始される。尚、このステップＳ１２０では、上記第１給水開始と同時に、制御装置３１内に設けられた第１給水タイマの計時、即ち、第１給水の給水時間の計時を開始する。また、通常時は、単位時間当たりの給水量は、第２給水＜第１給水である。
【００２７】
続いて、ステップＳ７０へ進み、操作パネル３６の表示器に洗濯行程情報（例えば残り運転時間等の情報）を継続して表示する。この後、ステップＳ８０へ進み、水槽４内の水位が第１給水の第１目標水位（前記布量検知結果に基づいて決められた給水水位であって、第２目標水位よりも高い水位）に到達したか否かを判断する。ここで、第１目標水位に到達していないときには（ＮＯ）、ステップＳ９０へ進み、第１給水の給水時間が第１給水リミット時間（予め決められた第１設定時間）に達したか否か、即ち、第１給水リミット時間が経過したか否かを判断する。ここで、第１給水リミット時間が経過していないときには（ＮＯ）、ステップＳ８０へ戻り、上述した処理を繰り返し実行する。
【００２８】
さて、前記ステップＳ８０において、第１目標水位に到達したときには（ＹＥＳ）、ステップＳ１１０へ進み、メイン給水弁２０が閉鎖されると共に、洗濯運転を継続する、即ち、洗い行程、すすぎ行程、脱水行程を逐次実行する。
【００２９】
さて、前記ステップＳ４０において、第２給水に給水異常が発生して、第２目標水位に到達する前に、第２給水リミット時間が経過したときには（ＹＥＳ）、ステップＳ５０へ進む。このステップＳ５０では、ＵＦＢ用給水弁２１が閉鎖されると共に、メイン給水弁２０が開放され、水道水が水槽４内に給水され、第１給水が開始される、即ち、第２給水から第１給水に切替えられる。尚、このステップＳ５０では、上記第１給水開始と同時に、制御装置３１内に設けられた第１給水タイマの計時、即ち、第１給水の給水時間の計時を開始する。また、通常時は、単位時間当たりの給水量は、第２給水＜第１給水である。続いて、ステップＳ６０へ進み、制御装置３１内に設けられた第２給水未到達フラグをオンする。
【００３０】
この後、ステップＳ７０へ進み、操作パネル３６の表示器に洗濯行程情報（例えば残り運転時間等の情報）を継続して表示する。この場合、第２給水に異常が発生したことを、操作パネル３６の表示器に表示するように構成しても良い。このように給水異常を表示する構成の場合、例えば、給水異常の表示と、洗濯行程情報の表示とを所定時間毎に交互に繰り返すように表示することが好ましい。また、給水異常の表示と、洗濯行程情報の表示とを並行して同時に表示できる構成の場合には、同時に表示することが好ましい。この後は、ステップＳ８０以下の処理を、上述したようにして実行する。
【００３１】
また、前記ステップＳ９０において、第１給水に給水異常が発生して、第１目標水位に到達する前に、第１給水リミット時間が経過したときには（ＹＥＳ）、ステップＳ１００へ進む。このステップＳ１００では、メイン給水弁２０を閉鎖して給水を停止すると共に、第１給水に異常が発生したことを、操作パネル３６の表示器に表示して、第１給水の給水異常を報知する。更に、ステップＳ１００では、洗濯運転を停止するように構成されている。尚、上記ステップＳ１００において、第１給水に異常が発生したことを表示する際に、第２給水に異常が発生している場合（第２給水未到達フラグがオンのとき）には、第２給水の給水異常も併せて表示するように構成しても良い。この場合、第１給水だけの給水異常のエラーコードと、第１給水及び第２給水の給水異常のエラーコードを用意し、いずれかのエラーコードを表示するように構成することが好ましい。
【００３２】
ここで、第２給水の給水異常及び第１給水の給水異常が発生した場合の動作のタイムチャートを、図４に示す。図４に示すように、時刻ｔ１で、第２給水用のＵＦＢ用給水弁２１（第２給水弁）がオンされ、第２給水に給水異常が発生しているために、第２給水リミット時間Ｔａが経過すると、その経過時刻ｔ２で、ＵＦＢ用給水弁２１がオフされると共に、第１給水用のメイン給水弁２０（第１給水弁）がオンされる。
【００３３】
この後、第１給水に給水異常が発生しているために、第１水リミット時間Ｔｂが経過すると、その経過時刻ｔ３で、メイン給水弁２０がオフされると共に、給水異常が報知される。
【００３４】
このような構成の本実施形態によれば、ＵＦＢ用給水弁２１（第２給水弁）の開放により第２目標水位まで到達しなかったときには、メイン給水弁２０（第１給水弁）の開放に切り替えて給水を続行するように構成したので、ＵＦＢ給水（第２給水）の異常時に、速やかにメイン給水（第１給水）に切り替えることができる。これにより、ＵＦＢ給水の異常時に給水時間が長くなることを極力防止できる。
【００３５】
また、本実施形態では、第１給水リミット時間（第１設定時間）内にメイン給水弁２０の開放により第１目標水位に到達したときには、通常通り運転を終了し、第１給水リミット時間内にメイン給水弁２０の開放により第１目標水位に到達しなかったときには、洗濯運転を停止して、給水異常を報知するように構成した。この構成によれば、メイン給水に異常が発生したときに、ユーザは、メイン給水の異常を容易に認識することができる。
【００３６】
（第２実施形態）
図５は、第２実施形態を示すものである。尚、第１実施形態と同一構成には同一符号を付している。この第２実施形態では、第２給水の給水異常が発生した場合に、洗濯運転の終了後に、第２給水の給水異常を報知するように構成した。
【００３７】
具体的には、図５のステップＳ１０からステップＳ１２０までは、第１実施形態と同様に実行する。第２実施形態では、ステップＳ１１０を実行して運転を継続した後、ステップＳ２１０へ進み、洗濯運転が終了したか否かを判断する。ここで、洗濯運転が終了していないときには（ＮＯ）、ステップＳ１１０へ戻り、運転を継続する。
【００３８】
上記ステップＳ２１０において、洗濯運転が終了したときには（ＹＥＳ）、ステップＳ２２０へ進み、第２給水未到達フラグがオンしているか否かを判断する。ここで、第２給水未到達フラグがオンしているときには（ＹＥＳ）、ステップＳ２３０へ進み、第２給水に異常が発生したことを、操作パネル３６の表示器に表示して、第２給水の給水異常を報知する。尚、この給水異常の表示動作は、設定時間（例えば５分間、１０分間等）続け、その後、洗濯機１の電源をオフするように構成されている。また、上記ステップＳ２２０において、第２給水未到達フラグがオンしていないときには、「ＮＯ」へ進み、洗濯機１の電源をオフする（即ち、運転を終了する）ように構成されている。
【００３９】
上述した以外の第２実施形態の構成は、第１実施形態の構成と同じ構成となっている。従って、第２実施形態においても、第１実施形態とほぼ同じ作用効果を得ることができる。特に、第２実施形態によれば、第２給水（ＵＦＢ給水）の給水異常が発生した場合に、洗濯運転の終了後に、第２給水の給水異常を報知するように構成したので、ユーザは、第２給水の給水異常を明確に認識することができる。
【００４０】
（第３実施形態）
図６は、第３実施形態を示すものである。尚、第１実施形態と同一構成には同一符号を付している。この第３実施形態では、第２給水の給水異常が発生した場合に、第２給水から第１給水に切り替えたときに、第２給水の給水異常を報知するように構成した。
【００４１】
具体的には、図６のステップＳ１０からステップＳ６０まで、そして、ステップＳ７０からステップＳ１２０までは、第１実施形態と同様に実行する。第３実施形態では、ステップＳ６０の実行後、ステップＳ３１０へ進み、第２給水に異常が発生したことを、操作パネル３６の表示器に表示して、第２給水の給水異常を報知する。この後は、ステップＳ７０へ進み、操作パネル３６の表示器に洗濯行程情報（例えば残り運転時間等の情報）を継続して表示する。この場合、ステップＳ３１０の給水異常表示と、ステップＳ７０の洗濯行程情報の表示とを、操作パネル３６の表示器に並行して同時に表示できる構成の場合には、同時に表示することが好ましい。また、同時に表示できない構成の場合には、例えば、給水異常の表示と、洗濯行程情報の表示とを所定時間（例えば１分間、２分間等）毎に交互に繰り返すように表示することが好ましい。
【００４２】
上述した以外の第３実施形態の構成は、第１実施形態の構成と同じ構成となっている。従って、第３実施形態においても、第１実施形態とほぼ同じ作用効果を得ることができる。特に、第３実施形態によれば、第２給水の給水異常が発生した場合に、第２給水から第１給水に切り替えたときに、第２給水の給水異常を報知するように構成したので、ユーザは、洗濯運転中において、第２給水の給水異常を速やかに認識することができる。
【００４３】
（第４実施形態）
図７は、第４実施形態を示すものである。尚、第１実施形態と同一構成には同一符号を付している。この第４実施形態では、第２給水（即ち、ＵＦＢ給水）の単位時間当たりの給水量が、第１給水（即ち、メイン給水）の単位時間当たりの給水量よりも大きい場合に、第１給水リミット時間を長くするように構成した。
【００４４】
具体的には、図７のステップＳ１０からステップＳ７０まで、そして、ステップＳ８０からステップＳ１２０までは、第１実施形態と同様に実行する。第４実施形態では、ステップＳ７０の実行後、ステップＳ４１０へ進み、単位時間当たりの給水量が、第２給水＞第１給水であるか否かを判断する。ここで、第２給水＞第１給水であるときには（ＹＥＳ）、ステップＳ４３０へ進み、第１給水リミット時間を長くする。尚、第１給水及び第２給水が共に給水異常がないときには、即ち、通常時は、単位時間当たりの給水量は、第２給水＜第１給水である。このため、第２給水＞第１給水であるときには、第１給水リミット時間を長く変更しておくと、第１給水によって第１目標水位まで給水できる可能性が高くなる。上記ステップＳ４３０の実行後は、ステップＳ８０へ進み、第１実施形態で説明した処理を実行する。
【００４５】
また、上記ステップＳ４１０において、第２給水＞第１給水でないときには（ＮＯ）、ステップＳ４２０へ進み、第２給水未到達フラグがオンしているか否かを判断する。ここで、第２給水未到達フラグがオンしているときには（ＹＥＳ）、ステップＳ４３０へ進み、第１給水リミット時間を長くする。これは、第２給水≦第１給水であったとしても、第２給水に給水異常が発生しているときには、第２給水の単位時間当たりの給水量がかなり小さくなっている可能性があるから、第１給水の単位時間当たりの給水量も小さくなっている可能性がある。そのため、第１給水リミット時間を長くしておくことが好ましい。このように第１給水リミット時間を長く変更しておくと、第１給水によって第１目標水位まで給水できる可能性が高くなる。
【００４６】
上述した以外の第４実施形態の構成は、第１実施形態の構成と同じ構成となっている。従って、第４実施形態においても、第１実施形態とほぼ同じ作用効果を得ることができる。特に、第４実施形態によれば、第１給水の単位時間当たりの給水量が第２給水の単位時間当たりの給水量よりも小さい場合に、第１給水リミット時間を長く変更しておくことにより、第１給水によって第１目標水位まで給水できる可能性、即ち、給水運転を完了させる可能性を高くすることができる。
【００４７】
（その他の実施形態）
以上説明した複数の実施形態に加えて以下のような構成を加えても良い。
上記各実施形態では、洗い行程の給水運転において、第２給水及び第１給水を各実施形態のように実行するように構成したが、これに限られるものではなく、すすぎ行程の給水運転において、第２給水及び第１給水を各実施形態のように実行するように構成しても良い。
【００４８】
また、各実施形態では、第２給水として、例えばファインバブル水を給水するように構成したが、これに限られるものではなく、他の洗浄水を給水するように構成しても良い。また、各実施形態では、第１給水として、例えば水道水を給水するように構成したが、これに限られるものではなく、他の洗浄水を給水するように構成しても良い。
【００４９】
また、各実施形態では、洗い行程、すすぎ行程及び脱水行程を実行する機能を備えた全自動洗濯機に適用したが、洗い行程、すすぎ行程、脱水行程及び乾燥工程を実行する機能を備えた全自動洗濯乾燥機に適用しても良い。また、縦軸型の洗濯機に適用したが、横軸型の洗濯機（ドラム式洗濯機）に適用しても良い。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５１】
図面中、１は洗濯機、４は水槽、５は洗濯槽（回転槽）、７はパルセータ、１１は駆動機構、１２は給水機構、１３は給水経路、１４はホース接続口、１５はメイン給水経路、１６はＵＦＢ用給水経路、１７は柔軟剤用給水経路、１８は注水ケース、１９は注水口、２０はメイン給水弁（第１給水弁）、２１はＵＦＢ用給水弁（第２給水弁）、２２は柔軟剤用給水弁、２８はＵＦＢユニット、３１は制御装置（第１給水部、第２給水部、制御部）、３３は水位センサ、３４は洗濯機モータ、３５は流量計である。
【図１】
2019024910.tif 000003
【図２】
2019024910.tif 000004
【図３】
2019024910.tif 000005
【図４】
2019024910.tif 000006
【図５】
2019024910.tif 000007
【図６】
2019024910.tif 000008
【図７】
2019024910.tif 000009